Podtech/llm-jp-corpus-v4-ja_patent huggingface dataset:
(57)【要約】      （修正有）【課題】動きがよりスムーズになり、見た目も美しい仕上がりになる上着の背裏を提供する。【解決手段】背裏１０の裏地を脇側でパワーニット１１に切り替える。背中央ではなく両脇を切り替えることにより運動量が多くとれ、裏地をたたむことや重ねることもなく美しい仕上がりになる。【選択図】図１
0003208437.tif 000002
【実用新案登録請求の範囲】
【請求項１】
上着の背裏、脇側部分の動きのない裏地をパワーニットで切り替えることにより、スムーズな動きを持たせ、かつ美しく見えるようにしたことを特徴とする背裏。
【考案の詳細な説明】
【技術分野】
【０００１】  本考案は、上着の背裏に関するものである。
【背景技術】
【０００２】  従来の背裏仕様は、背中央にて裏地をたたみ込むか、重ね合わせるのがほとんどであった。
【考案の概要】
【考案が解決しようとする課題】
【０００３】  このため、あまり多くのユトリがとれず、また、ユトリを多くしようとすると見た目が美しくないという問題があった。
【課題を解決するための手段】
【０００４】  上記課題を解決すべく本考案が採った手段は、上着の背裏、脇側部分の動きのない裏地をパワーニットで切り替えることにより、スムーズな動きを持たせ、かつ美しく見えるようにしたことを特徴とする背裏、である。【０００５】  このように、脇側部分の裏地をパワーニットに切り替えることにより、動きがスムーズになり着用感が向上する。
【考案の効果】
【０００６】  背中央でなく両脇部を切り替えることにより多くの運動量を確保できるとともに、裏地をたたんだり重ねたりすることがないので美しい仕上がりとなる。
【図面の簡単な説明】
【０００７】
【図１】本考案に係る背裏（背抜き仕様）を示す図である。
【図２】本考案に係る背裏（総裏仕様）を示す図である。
【図３】従来の背裏（背抜き仕様）を示す図である。
【図４】従来の背裏（総裏仕様）を示す図である。
【符号の説明】
【０００８】１０  背裏
１１  パワーニット
１２  たたみ込み
１３  重ね合わせ
１４  表地
１５  前裏
【図１】
0003208437.tif 000003
【図２】
0003208437.tif 000004
【図３】
0003208437.tif 000005
【図４】
0003208437.tif 000006
(57)【要約】【課題】上側面に注入口キャップ付き注入口をつけた樹脂製ボトルを提供する。【解決手段】従来の樹脂製ボトルの上側面に注入口（３）を設け、注入口には注入口キャップ（２）を設ける。【選択図】図１
0003208439.tif 000002
【実用新案登録請求の範囲】
【請求項１】
上側面に注入口キャップ（２）を有する注入口（３）を設けた樹脂製ボトル。
【考案の詳細な説明】
【技術分野】
【０００１】この考案は、液体洗剤や消毒液などの詰め替え液（５）を注入するための、注ぎ口が付いた樹脂製ボトル（４）に関するものである。
【背景技術】
【０００２】従来は、液体洗剤などの詰め替え液をボトルに注入するときは、専用の注ぎ口がなく、ボトルの洗剤注ぎ口（１）部分のキャップを外して、洗剤注ぎ口（１）からつめかえ液を注入していた。
【考案の概要】
【考案が解決しようとする課題】
【０００３】そのために次のような問題点があった。
（イ）液を注入するとき、注ぎ口から入れるため、注ぎ口が狭いので、液が入りにくく、液が大量に漏れてしまう難点があった。
（ロ）詰め替え作業が面倒で、詰め替え用液を購入しない人たちがいると推測され、ゴミの増量・資源の無駄使いになっている。
本考案は、これらの問題点を解決するためになされたものである。
【課題を解決するための手段】
【０００４】従来の樹脂製ボトルの上側面に詰め替え注入口（３）を設ける。
注入口には注入口キャップ（２）を装着する。
本考案は、以上のような構成よりなる樹脂製ボトルである。
【考案の効果】
【０００５】詰め替え液を注入口から注入するために、従来のように洗剤注ぎ口から入れる必要がない。そのため、洗面所や風呂場などで詰め替え作業を行った場所の洗い流しの手間がはぶけ。作業効率が良くなる。
【図面の簡単な説明】
【０００６】
【図１】本考案の正面図である。
【図２】本考案の使用状態を示す斜視図である。
【考案を実施するための形態】
【０００７】以下、本考案の実施の形態について説明する。
（イ）液体洗剤などの樹脂製ボトルの上側面に、樹脂製の円柱状の注入口（３）を設ける。
（ロ）樹脂製の注入口（３）注入口キャップ（２）を設ける。
本考案は以上のような構造で、本ボトルに詰め替え用液を注入するときは、注入口キャップ（２）をはずし、注入口（３）より詰め替え液（５）を注ぐ。
【符号の説明】
【０００８】１  洗剤注ぎ口、２  注入口キャップ、３  注入口、４  ボトル、
５  詰め替え液
【図１】
0003208439.tif 000003
【図２】
0003208439.tif 000004
(57)【要約】      （修正有）【課題】着用者の快適性やリラックス感を保ちながら、ドレスシャツを着用しているかのように、対面者に好印象を感じてもらうことができるカットソー・ティーシャツを提供する。【解決手段】ティーシャツのネックを大きくして、そのネックに合わせて、シャツ襟と身頃のパーツを作り、それを縫い合わせることで、セーターを重ね着しているシャツスタイルに見せる。【選択図】図５
0003208404.tif 000002
【実用新案登録請求の範囲】
【請求項１】
従来のスーツやジャケットをドレスシーンやビジネスシーンで着用する際のインナーとして、カットソーの着用者自身の快適性やリラックス感を保持し、対面者にドレスシャツを着用しているかのような好印象を感じさせるカットソー・ティーシャツ。
【考案の詳細な説明】
【技術分野】
【０００１】  本考案は、スーツやジャケットを着用する際に、ドレススタイルとして着用できるティーシャツに関するものである。
【背景技術】
【０００２】  本来、スーツやジャケットは、襟腰のあるドレスシャツをインナーに考えて作られているため、インナーにティーシャツを着ると、ジャケットの襟が直に首に接するので、不快感があるだけでなく、ジャケットの襟も汚れてメンテナンスにも問題もあり、見た目にもカジュアル感がありすぎて、ドレスシーンやビジネスシーンでの着用は、難しく感じられる。
【考案の概要】
【考案が解決しようとする課題】
【０００３】  スーツやジャケットの着用時に、ストレスが少ないティーシャツスタイルの着用感で、ドレスシーンやビジネスシーンでも、着用できるようにすることを目的とする。
【課題を解決するための手段】
【０００４】  本考案は、カットソー・ニット素材で作った身頃と、織物のシャツ素材で作ったシャツ襟パーツを縫い合わせて、スーツやジャケットのインナーとして重要なＶゾーンをドレスシャツとセーターを重ね着しているかのように見せることで課題を解決している。
【考案の効果】
【０００５】  伸縮性のあるカットソー・ニット素材を身頃に使うことで、夏冬問わず、スーツやジャケットのインナーとして、従来の伸縮性の無いドレスシャツよりも着用時のストレスが少なく、特に夏場の着用時は、スーツやジャケットを脱いだ時にも、ティーシャツ１枚の着用感で、ドレスシャツスタイルのような印象を与えることが可能になる。
【図面の簡単な説明】
【０００６】
【図１】従来のティーシャツ図。
【図２】ネックを大きくしたティーシャツ図。
【図３】従来のドレスシャツ図。
【図４】大きくしたネックに合わせて作られたドレスシャツパーツ図。
【図５】ドレス  ティー  シャツ図。
【考案を実施するための形態】
【０００７】  ドレスシャツとティーシャツの融合を、ドレスシャツの上にセーターを着用しているかのように見せることで、直接肌に触れる身頃は、ティーシャツで、スーツやジャケットのＶゾーンは、ドレスシャツという機能を作り出す。
【実施例】
【０００８】  以下、添付図面に従って実施例を説明する。図１の従来のティーシャツを、重ね着のセーターのように見せるために、シャツの襟元やフロントボタンが見える位置まで、図２のようにネック前下がりを下げて、天巾も大きくする。【０００９】  図３の一般的なドレスシャツから、図２の大きくしたネックに沿ってカットしたような襟と身頃だけのドレスシャツパーツを図４のように作る。【００１０】  図２のティーシャツ部分と図４のドレスシャツパーツを縫い合わせることで、図５のように、重ね着したかのように見えるドレス  ティー  シャツができる。
【産業上の利用可能性】
【００１１】本考案は、ドレスの襟型もレギュラーカラー・ラウンドカラー・スタンドカラー等のバリエーションも自由にでき、身衣のニットもラウンドネック・Ｖネック・カーディガンフロント等のデザインバリエーションが存在し、襟と見頃のデザイン組合せを考えるといろんなシーンでの対応も可能で、さらに、長袖の身頃で、素材に変えれば、冬の着用も可能であり、着用者の真のリラックス感を持ち合わせ、シャツ襟デザインが対面者に与える好印象を考えるとビジネスウェア市場やドレスウェア市場を大きく変える可能性を有している。
【図１】
0003208404.tif 000003
【図２】
0003208404.tif 000004
【図３】
0003208404.tif 000005
【図４】
0003208404.tif 000006
【図５】
0003208404.tif 000007
【手続補正書】
【提出日】平成28年10月19日(2016.10.19)
【手続補正１】
【補正対象書類名】実用新案登録請求の範囲
【補正対象項目名】全文
【補正方法】変更
【補正の内容】
【実用新案登録請求の範囲】
【請求項１】
ティーシャツをベースにして、その衿グリ部分にドレスシャツの襟を、セーターとシャツを重ね着したかのように縫い合わせたドレス  ティー  シャツ。
(57)【要約】      （修正有）【課題】ベビーが寝ころんだ状態の際、敷マットよりはみ出して落下することを防止するベビー用敷マットを提供する。【解決手段】敷マットの周囲１を高くすることにより、ベビーの体の移動による落下を防ぎ、減少することができる。なお、中部の低部２に若干の船底形の湾曲をつけることも効果がある。素材としては、繊維を用いた固綿が通気性・吸湿性・吸水性等の調整が容易であり、ベビーの健康を考慮すれば最も適した素材といえる。【選択図】図１
0003208402.tif 000002
【実用新案登録請求の範囲】
【請求項１】
ベビー用敷マットにおいて、敷マットの周囲を中部よりも高くし、中部を低くしたことを特長としたベビー用敷マット
【請求項２】
ベビー用敷マットにおいて、敷マットの周囲を中部よりも高くし、中部を低くしたベビー用敷マットの素材を、繊維を用いた固綿を使用したベビー用敷マット
【請求項３】
ベビー用敷マットにおいて、敷マットの周囲を中部よりも高くし、中部を低くしたベビー用敷マットに、繊維と異なる素材のウレタン等を使用したベビー用敷マット
【請求項４】
ベビー用敷マットにおいて、敷マットの周囲を中部よりも高くし、中部を低くしたベビー用敷マットの各部に、異なった素材を組み合わせて成形したベビー用敷マット
【請求項５】
ベビー用敷マットにおいて、敷マットの周囲を中部よりも高くし、中部を低くしたベビー用敷マットの各部を組み立て、各部を脱着可能としたベビー用敷マット
【請求項６】
ベビー用敷マットにおいて、敷マットの周囲を中部よりも高くし、中部を低くしたベビー用敷マットの中部の低い部分を船底形等のように湾曲させたことを特長としたベビー用敷マット
【考案の詳細な説明】
【技術分野】
【０００１】  本考案は、ベビー用固綿敷マットの周囲を高くし、中部を低くして段差を付与したものである。
【背景技術】
【０００２】  従来のベビー用固綿敷マットは、表面が平面状か又は筋状や、穴状を穿孔したもの等がある。
【先行技術文献】
【０００３】
【考案の概要】
【考案が解決しようとする課題】
【０００４】  従来のベビー用固綿敷マットでは、ベビーが寝ころんだ状態のとき、体を移動することにより誤って敷マットより落下することがあった。例えば、ベビーベッドを使用した場合には、通常柵が取り付けてあるので、落下することはないが、床上に直接敷き寝の場合、落下することが起こることがある。
【課題を解決するための手段】
【０００５】  上記課題を解決するために、本考案は、ベビー用固綿敷マットの周囲を中部よりも高くして段差を設けたものである。周囲の高部は直立型でも良く、傾斜型や丸型でも良い。なお、中部の低部は平面でもよいが、湾曲状が効果がある。周囲の高部の高さや幅及び低部の形状は、任意に設定することができる。
【考案の効果】
【０００６】  ベビー用敷マットを特に床上で使用する場合、幼少時のベビーが活動を始めるころからよく体が移動し、ベビー用敷マットより落下することがある。本考案は、周囲を高くすることにより、これを防止し、落下を減少することができる。
【図面の簡単な説明】
【０００７】
【図１】  本考案の斜視図
【図２】  本考案の断面図
【図３】  本考案に別途脱着可能な段差部を取り付けたものの断面図
【考案を実施するための形態】
【０００８】  以下、本考案を実施するための形態について説明する。ベビー用敷マットの素材は、繊維が良いが、発泡ウレタン等、その他の素材でも良い。繊維は、通気性、吸湿性及び吸水性等の調整が容易であり、素材として好ましい。形態の付与については、平面のマットの低部のみ加熱板で圧縮セットすれば良い。又、低部を切断除去することにより成形することもできる。その他各部を個別に作成し、組み合わせて任意の形に成形することもできる。この際各部を異素材の組み合わせも可能である。組み合わせの場合は、各部を嵌め込むことやファスナー、ホック又は紐等により脱着可能とすることもできる。
【産業上の利用可能性】
【符号の説明】
【０００９】１．周囲の高部
２．中部の低部
【図１】
0003208402.tif 000003
【図２】
0003208402.tif 000004
【図３】
0003208402.tif 000005
【手続補正書】
【提出日】平成28年8月19日(2016.8.19)
【手続補正１】
【補正対象書類名】実用新案登録請求の範囲
【補正対象項目名】全文
【補正方法】変更
【補正の内容】
【実用新案登録請求の範囲】
【請求項１】
ベビー用敷マットにおいて、敷マットの周囲を中部よりも高くし、中部を低くしたことを特長としたベビー用敷マット
【請求項２】
ベビー用敷マットにおいて、敷マットの周囲を中部よりも高くし、中部を低くしたベビー用敷マットの素材を、繊維を用いた固綿を使用したベビー用敷マット
【請求項３】
ベビー用敷マットにおいて、敷マットの周囲を中部よりも高くし、中部を低くしたベビー用敷マットに、繊維と異なる素材のウレタンを使用したベビー用敷マット
【請求項４】
ベビー用敷マットにおいて、敷マットの周囲を中部よりも高くし、中部を低くしたベビー用敷マットの図３の低部２から周囲の高部１を脱着可能としたベビー用敷マット
【請求項５】
ベビー用敷マットにおいて、敷マットの周囲を中部よりも高くし、中部を低くしたベビー用敷マットの中部の低い部分を船底形等のように湾曲させたことを特長としたベビー用敷マット
【手続補正書】
【提出日】平成28年10月22日(2016.10.22)
【手続補正１】
【補正対象書類名】実用新案登録請求の範囲
【補正対象項目名】全文
【補正方法】変更
【補正の内容】
【実用新案登録請求の範囲】
【請求項１】
ベビー用敷マットにおいて、敷マットの周囲を中部よりも高くし、中部を低くしたことを特長としたベビー用敷マット。
【請求項２】
ベビー用敷マットにおいて、敷マットの周囲を中部よりも高くし、中部を低くしたベビー用敷マットの素材を、繊維を用いた固綿を使用したベビー用敷マット。
【請求項３】
ベビー用敷マットにおいて、敷マットの周囲を中部よりも高くし、中部を低くしたベビー用敷マットに、繊維と異なる素材のウレタンを使用したベビー用敷マット。
【請求項４】
ベビー用敷マットにおいて、敷マットの周囲を中部よりも高くし、中部を低くしたベビー用敷マットの周囲の高くした部分を脱着可能に取り付けるよう構成したことを特徴とするベビー用敷マット。
【請求項５】
ベビー用敷マットにおいて、敷マットの周囲を中部よりも高くし、中部を低くしたベビー用敷マットの中部の低い部分を船底形等のように湾曲させたことを特長としたベビー用敷マット。
(57)【要約】      （修正有）【課題】クッション等に接続することにより車両の座席に、簡単に固定、脱着でき、転倒、散乱を防止する車軸シート用クッション固定ベルトを提供する。【解決手段】長さの異なる、上下２本の伸縮性ベルト１、２と、車両シート側固定具３、クッション側固定具４、５、ベルト長調節具６からなり、クッション背部の上下のクッションの断面でみて、角に当たる部分あたりに、クッション側固定具４、５を取付け、車両シートの座面と背面の間の隙間に、車両シート側固定具３を差し込んで固定し、上部ベルト長を、少し、テンションのかかる様、調整する。下側のベルトは、クッションが、前側，上側に動くのを規制し、上側のベルトは、垂直下側に向けて少しテンションがかかることになり、座面に接触したクッション下部が、支点となり、下側に引っぱられる作用点が、支点よりも後ろ側にあるため、クッション背面を車両シートの背面側に押し付けるように働き、固定される。【選択図】図１
0003208409.tif 000002
【実用新案登録請求の範囲】
【請求項１】
車両座席用クッション背部の上下に、伸縮性ベルトを連結具により接続し、車両シート用固定具を、車両シートの座面と背面の間の隙間に差し込み、クッションを，車両シートに固定できる、車両シート用クッション固定ベルト。
【請求項２】
車両用クッション背部に、請求１の機能を付加し、車両シートに固定出来る、固定機能付き車両シート用クッション。
【考案の詳細な説明】
【技術分野】
【０００１】  本考案は、車両シートに、クッションを固定する、ベルトに関するものである。
【背景技術】
【０００２】  車両シートに設置する背の低いタイプのクッションは、通常、置くだけで、シートに固定出来ない。
【考案の概要】
【考案が解決しようとする課題】
【０００３】  車両シートに設置するクッションは、車両シート背面に固定するのが良いと思われるが、高さの低いクッションは、通常、固定方法が無いため、置くだけであり、不使用時、車内に散乱してしまう。また、固定しても、面倒な脱着方法だと、後部座席が、荷室になるタイプの車両の場合、背部シートを前側に倒す必要があり、その都度、クッションを除く必要が発生するため、簡単に脱着しないと、とても面倒である。本考案は、前述の問題を解決しようとするものである。
【課題を解決するための手段】
【０００４】  本考案は、クッション背部の上下にクッション側連結具を取付け、車両シートの座面と背面の間の隙間に、車両シート側固定具を差し込んで固定し、
上部のベルト長を、少し、テンションがかかる様に調整する。結果、下側のベルトは、クッションが、前側，上側に動くのを規制し、上側のベルトは、下側に向けて少しテンションがかかることになり、座面に接触したクッション下部が、支点となり、下側に引っぱられる作用点が、支点よりも後ろ側にあるため、クッション背面を車両シートの背面側に押し付けるように働き、固定されることにより問題点を解決している。
【考案の効果】
【０００５】  上述の様に、本考案の使用により、クッションは、車両シート、前部後部シートともに、簡単に固定でき、不使用時の散乱を防ぎ、また、簡単に脱着可能なため、後部座席が、荷室になるタイプの車両の場合の面倒も解決され、また、クッションを枕等に使用の場合等も、簡単に脱着できるため対応が容易である。
【図面の簡単な説明】
【０００６】
【図１】本考案の全体形状を示す、見取り図である。
【図２】本考案の実施例を示す、側面図である。
【図３】本考案の応用例１を示す、見取り図である。
【図４】本考案の応用例２を示す、見取り図である。
【考案を実施するための形態】
【０００７】  本考案は、伸縮性の長さの異なる、上下の伸縮性ベルトと、車両シート側固定具、クッション側連結具、ベルト長調節具からなり、クッション背部の上下のクッションの断面でみて、角に当たる部分あたりに、クッション側連結具を取付け、車両シートの座面と背面の間の隙間に、車両シート側固定具を差し込んで固定し、
上部のベルト長を、少しテンションのかかる様に調整する。
【実施例】
【０００８】  以下、添付図面に従って、実施例を説明する。
図面１の４クッション側連結具Ａ  と  ５クッション側連結具Ｂ  で、図面２の  ７クッション背部の上下部分の表生地を挟んで、連結する。連結位置は、クッションの断面で、上下の背面角に当たる部分あたりとする。次ぎに、３車両シート側固定具  を、車両シートの座面と背面の間に差し込んで、固定する。次ぎに、１伸縮ベルトＡに付属した、６ベルト長調節具で、少し、テンションがかかる様、ベルトの長さを調整する。
【符号の説明】
【０００９】１  伸縮ベルトＡ
２  伸縮ベルトＢ
３  車両シート側固定具
４  クッション側連結具Ａ
５  クッション側連結具Ｂ
６  ベルト長さ調整具
７  クッション
【図１】
0003208409.tif 000003
【図２】
0003208409.tif 000004
【図３】
0003208409.tif 000005
【図４】
0003208409.tif 000006
【手続補正書】
【提出日】平成28年10月21日(2016.10.21)
【手続補正１】
【補正対象書類名】実用新案登録請求の範囲
【補正対象項目名】全文
【補正方法】変更
【補正の内容】
【実用新案登録請求の範囲】
【請求項１】
車両シート用クッションの背部の上下に、伸縮性ベルトを連結具により接続し、前記伸縮性ベルトに接続された車両シート用固定具を、車両シートの座面と背面の間の隙間に差し込むことで、前記車両シート用クッションを前記車両シートに固定する構造であることを特徴とする、車両シート用クッション固定ベルト。
【請求項２】
請求項１に記載された車両シート用クッション固定ベルトを取付けたことを特徴とする、車両シート用クッション。
(57)【要約】      （修正有）【課題】うっかり忘れの防止並びにとっさの時の覚え書きとするメモ用紙を提供する。【解決手段】充分な長さの細長い短冊型のストーンペーパー４の一端に両面テープ５を貼り付けることで使用時はリング状にして手首に巻くメモ用紙を形成し、その枚数を重ねてメモ冊子様式とする。更にストーンペーパー４に暗記教材を印刷することで、すきま時間の暗記教材になる。【選択図】図２
0003208407.tif 000002
【実用新案登録請求の範囲】
【請求項１】
日常生活のあらゆる場面の中で、とっさに書き留めたい事が出てきた時や自分の行動予定などに関わって絶対に忘れてはならぬ事がある時などに、耐水性に優れたストーンペーパーを使用し手首に巻くように形成したメモ用紙に書き込むことによって、このメモ用紙装着者は手首を見ればいつでもメモ用紙の覚え書きを目にすることになり、うっかり忘れ防止効果が大なる特徴の手首に巻くメモです。
【請求項２】
前記の手首に巻くメモ用紙の紙面上に英単語などを印刷することによって暗記学習に関する時間効率は高くなり、すきま時間学習として学生たちに提供できる暗記学習教材。印字する内容は英単語にとどまらず百人一首やビジネスマン用としての１日のスケジュール記入メモとしてなど用途は色々と広がる手首に巻くメモです。
【考案の詳細な説明】
【技術分野】
【０００１】  本考案は、書き込み式うっかり忘れ防止と印刷式暗記学習の二面性を備えた耐水性の手首に巻くメモに関する。
【背景技術】
【０００２】  日常生活において、とっさに頭にひらめいた仕事などに関するアイデアや行動予定などを忘れないうちに即座に書き留めたい時に、ペンは胸ポケットからすぐに取り出せるが、用紙や手帳がなかなかすぐに取り出せなくてイライラする経験は誰しも持ち、時にはビジネスの好機を取り逃がすことにもなる。よく見かけるのが、致し方なく自分の手のひらや甲の肌に直接ボールペンや油性インキペンで書き付ける方法である。【０００３】  学習の大半は暗記することにある。弁理士試験、司法試験など資格試験然り、溯って小学校の学習に始まる暗記学習は我々凡人の頭を悩ませるものである。机に向かい学習と称して教科書などを使い長い時間をこの世の森羅万象を知るための暗記に費やし精を出す。古来、何事を暗記するにも書物を繰り返し読み、復唱することを行って自分の脳みそにすり込んで来ているが、悲しいかなこれしか方法がない。現代は書物を持ち歩かなくともスマホやタブレットが便利であるがこれとてもやはり持ち歩く必要があり、操作が必要で瞬時に画面を見ることができない。
【考案の概要】
【考案が解決しようとする課題】
【０００４】  日常生活において、とっさの時にボールペンなどで手のひらなどに直接メモを書くことは手を汚し、見た目も汚くて清潔感がない。ビジネスのあらゆるシーンにて当の本人は気にならないが周りの職場の人やお客様の目には付きやすく、良い印象を与えない。更に洗い落とすのに時間がかかりきれいに落とせない。【０００５】  日常生活において、１日の行動計画や絶対に忘れてはならぬ事などのうっかり忘れがどれほど多いことか。近年、高齢者社会になり認知症予備軍も増え社会全体でのうっかり忘れが増えていると予想される。忘れないためにメモ用紙に書いてポケットに入れて安心と思いきや、肝心のそのポケットを触らないままで過ぎ、後になって気が付く始末。【０００６】  一般に学習においては、いろいろな重要事項などの暗記が大半を占める。その暗記した事項を土台として学習を発展させていくことがもっと大事な事。暗記はおしなべて無味乾燥なものが多くて学生の頃には丸暗記を強いられて、誰もが時間をかけ苦労する。
【課題を解決するための手段】
【０００７】  上記目的を達成するために、本考案は、耐水性のストーンペーパーを細長い短冊に形成したものを手首にブレスレットの様に巻きつけ一端の両面テープで止めるのが特徴。文字通り手首に巻くメモとなる。ストーンペーパーは近年開発された環境に優しい製品で、ペーパーと言うものの木材パルプの材質ではないので水を吸収しないのが最大の特徴で、これを上手く利用し、形成して今まで出来なかった手首に巻くメモを可能にした。更に利便性を図るために１枚ずつはがせるメモ帳様式に形成した。【０００８】  本考案は、ストーンペーパー紙面に英単語などを印刷したものを手首に巻く暗記メモとして使用する。印字インクには耐水性の物を使用する。印刷する教材は英単語や百人一首など丸暗記を必要とするものなら何でも適していると思われる。また、自分で自由に暗記するものをボールペンなどで手書きをしてすきま時間を有効に使って覚えることが出来る。
【考案の効果】
【０００９】以上の説明から明らかなように、本考案にあたっては次に列挙する効果が得られる。
（１）ストーンペーパー材で形成された手首に巻くメモ用紙なので、水仕事や入浴などを気にせず装着したまま行うことが出来る。よって常時手首のメモに目が行き、大切な予定を忘れたりしない。また、とっさの時にはボールペンなどで即座に書き留めることが出来るので確実に捉えることが出来る。メモ用紙を１枚ずつはがせるメモ帳様式にしたので、私たちのあらゆるシーンですばやく利用できる。自分の手のひらに直接ボールペンなどで書いて汚すことがなくなる。【００１０】（２）前記による形状や特性による手首に巻くメモ用紙に暗記教材を印刷することにより、すきま時間を利用した暗記学習教材となり、場所や時間を構わずに手首を見て覚えることが出来る。よって暗記ものを無理なく片付けられるので学習の能率が上がる。
【図面の簡単な説明】
【００１１】
【図１】  本考案の手首に巻くメモのメモ用紙１枚の図である。
【図２】  本考案の手首に巻くメモのメモ帳様式で百人一首の例の図である。
【符号の説明】
【００１２】１  ストーンペーパー
２  両面テープ剥離紙付き
３  厚紙
４  印刷ストーンペーパー
５  両面テープ剥離紙付き
【図１】
0003208407.tif 000003
【図２】
0003208407.tif 000004
【手続補正書】
【提出日】平成28年10月17日(2016.10.17)
【手続補正１】
【補正対象書類名】実用新案登録請求の範囲
【補正対象項目名】全文
【補正方法】変更
【補正の内容】
【実用新案登録請求の範囲】
【請求項１】
ストーンペーパーを使用し手首に巻くように形成したことを特徴とする、手首に巻くメモ用紙
【請求項２】
前記手首に巻くメモ用紙の紙面上に印刷を施したことを特徴とする、請求項１に記載の手首に巻くメモ用紙
(57)【要約】      （修正有）【課題】大型地震発生時、五つの代表的な自家用受変電設備に、異なった接続方法で、市販の感震ブレーカーを接続し、其々、一般需要家並みの、２次電気災害防止の効果を得ることができる自家用受変電設備を提供する。【解決手段】大型地震発生時、感震センサーにより高圧負荷開閉器や高圧真空遮断器を開放して、需要家の構内を一時的に停電状態とし、地震終了後、安全を確認した上で、開閉器類を再投入させ復旧させる。【選択図】図３
0003208406.tif 000002
【実用新案登録請求の範囲】
【考案の詳細な説明】
【技術分野】
【０００１】この考案は、高圧受変電設備の地震発生時における需要家構内の電気機器や、配線の損傷を受け、短絡・地絡事故を起し火災が発生した場合、地震による直接の被害と、それによって起こる二次災害を防止するため、市販の感震センサーを使用して、一定以上の震度が発生すると、柱上高圧負荷開閉器・高圧真空遮断器や高圧負荷開閉器等を開放して、構内を一時的に停電状態とし、地震終了後に安全を確認した上で、開閉器を再投入させ、復旧させるものである。
【背景技術】
【０００２】現状、自家用受変電設備は、責任分界点以降を、自主保安体制で運用されている。
最近の、多発する地震による電気火災対策でも、内閣府の取り組みに添って、早急に対策を持たなければならない。
平成２７年２月  内閣府の大規模地震時の電気火災の発生抑制に関する検討会で  提言されいる感震ブレ―カー等の、性能評価ガイド・ラインを活用し、採用するよう検討する。
【特許文献】
【０００３】感震ブレーカーは、大型地震発生時に、地震の二次災害防止対策として、各製造業者が研究開発し市販されており、これを自家用受変電設備に組込む事で、地震時における電気火災の防止策として、同等の効果を得ることが出来る。
【考案の概要】
【考案が解決しようとする課題】
【０００４】  現状、自家用受配電設備では、代表的な五つの受配電設備について、各々に、異なった接続方法の対応が求められる。その責任分界点以降の、感震センサーを使用した時の地震被害は、一般需要家並みが得られる。
【課題を解決する為の手段】
【０００５】異なった五つの受配電方式に対応する接続を実施する。
（１）ＰＡＳ連動    方向性  ＳＯＧ  制御装置
（２）ＰＡＳ連動  無方向性  ＳＯＧ  制御装置
（３）出迎え受電    方向性  ＳＯＧ  制御装置
（４）出迎え受電  無方向性  ＳＯＧ  制御装置
（５）  無方向性  疑似漏電方式
【発明の効果】
【０００６】自家用受配電設備に使用する感震装置を使って該当する設備に組み込み、地震発生を待つ。  設備の予定通りの効果を得る。
【図面の簡単な説明】
【０００７】
【図１】方向性ＳＯＧ制御装置に配線した感震装置
【図２】無方向ＳＯＧ制御装置に配線した感震装置
【図３】方向性ＳＯＧ制御装置に配線した感震装置
【図４】無方向性ＳＧＯ制御装置に配線した感震装置
【図５】疑似漏電方式を使用する感電装置を使用した装置  どの装置も電気工事有資格者の施工で完了する。
【図１】
0003208406.tif 000003
【図２】
0003208406.tif 000004
【図３】
0003208406.tif 000005
【図４】
0003208406.tif 000006
【図５】
0003208406.tif 000007
【手続補正書】
【提出日】平成28年10月19日(2016.10.19)
【手続補正１】
【補正対象書類名】実用新案登録請求の範囲
【補正対象項目名】全文
【補正方法】追加
【補正の内容】
【実用新案登録請求の範囲】
【請求項１】
大型地震発生時、高圧負荷開閉器や高圧真空遮断器を開放して、需要家の構内を一時的に停電状態とし、地震終了後、安全を確認した上で、開閉器類を再投入させ、一般需要家並みの２次電気災害防止の効果を提供する感震センサーを組み込んだ自家用受変電設備。
(57)【要約】      （修正有）【課題】持ち手の短いカバン等を自転車の前カゴへ入れる際に、手軽に掛けて防犯するフックを提供する。【解決手段】自転車のハンドル部分に接続する接続部分２を設け、その部分から突出してカバン等の持ち手を引っ掛けるためのプラスチック等でできたフック３を設けた。【選択図】図１
0003208814.tif 000002
【実用新案登録請求の範囲】
【請求項１】
自転車のハンドル部分への接続部分（１）を設け、その部分よりカバン等の持ち手を引っ掛けることの出来るフックを設けた自転車のバック落下、ひったくり防止の出来るフックである。
【考案の詳細な説明】
【技術分野】
【０００１】本考案は、自転車のハンドルに設置し、バッグ等の持ち手の短い物も簡単に引っ掛け落下やひったくりを防止するものである。
【背景技術】
【０００２】従来のカゴに付ける防犯用品と言えばネットやカゴカバーだったが、それらよりも手軽にフックに持ち手を引っ掛けることにより、落下やひったくり防止が出来る。
【考案の開示】
【考案が解決しようとする課題】
【０００３】持ち手の短いカバン等を自転車の前カゴへ入れた時に、引っ掛けるところが無く、ハンドルやハンドルに付いているベルに掛けたり、腕に掛けたまま走行している。今までのネットやカゴカバーは面倒で若い方や男性の使用頻度が低い。本考案は男性や若い方又はお子様にも利用しやすいよう開発された物であり、どなたにでも簡単に防犯し安心して走行してもらう物である。
【課題を解決するための手段】
【０００４】自転車のハンドル部分に（１）に接続部分（２）を付け、その接続部分よりカバンの持ち手を引っ掛ける為のフック（３）を設ける。
接続部分（２）は、自転車のハンドルに合わせられる様ネジにて調節出来るようにするそしてフック（３）は、自転車を運転する体の方へ向けるものである。
【考案の効果】
【０００５】本考案は、自転車に取り付けておくだけで持ち手の短いカバンや荷物の落下やひったくりから守ることができ、今までのカゴカバーやネットより男女問わず使用出来るものである。
【考案を実施するための最良の形態】
【０００６】本考案を実施する為の形態について説明する。
自転車のハンドル部分（１）に接続部分（２）を設置し、そこから出ているフック（３）からなる。接続部分（２）を自転車のハンドル部分（１）に運転する体の方へフック（３）を向けて固定する。
本考案を使用するときは、常に自転車に装着しておき、持ち手の短いカバンをカゴに入れてフックに掛けておくと落下やひったくりから防止することが出来るものである。
【図面の簡単な説明】
【図１】装着図
【図２】立体図  本考案を使用するときは、（３）のフックを自分側に向けて（２）をハンドル部分に通し、（４）のネジで止めつける。
【符号の説明】［図１］
（１）ハンドル
（２）ハンドル部分への接続部分
（３）フック
（４）ネジ
［図２］
（２）ハンドル部分の接続部
（３）フック
（４）ネジ
【図１】
0003208814.tif 000003
【図２】
0003208814.tif 000004
(57)【要約】      （修正有）【課題】切りやすく、確実に１枚ずつ取り出せるようにしたロール型ウェットティシューやアルコールタオルの円筒形ケースのふたを提供する。【解決手段】ケースの取り出し口に半円形のゴム製のリードｂを接着剤ｃで取り付ける構造とし、紙ｄを引き出すと、ゴムの弾性によって生じる摩擦力で、自動的に取り出し口のプラスティックとゴムの間に紙をはさみ、切れやすくするとともに、ゴムとプラスティックの間に紙が咬まれることによってケース内に落ちないという特徴により、無駄の解消を提供するというものである。【選択図】図２
0003208816.tif 000002
【実用新案登録請求の範囲】
【請求項１】
ロール型のウェットティシューやアルコールタオルなどの容器において、取り出し口に半円形のゴムリードを取り付けた構造とし、、ゴムの弾性による摩擦力によって紙を切りやすくし、、確実に１枚ずつ取り出せるようにした円筒形ケースのふた。
【考案の詳細な説明】
【技術分野】
【０００１】
【背景技術】
【０００２】
【考案の概要】
【考案が解決しようとする課題】従来のウェットティシューは２枚連なって出てきたり、円筒容器の中につまんだティシューが落ちてしまったりすることが多々あった。
【課題を解決するための手段】取り出し口に。ゴム製のリードを付けて、ロール紙を切るのを補助してやる。一方ゴムは摩擦係数が大きいので、はさんで切った紙は下に落ちにくい。
【図面の簡単な説明】図１、図２とも、ウェットティシューのはいった円筒ケースを上から見たもので、ａは容器のふたで、ｂはゴム製のリード、ｃは接着剤ｄは引き出された、又は引き出されるのを待つ紙である。
図３はこのシステムの一連のはたらきを断面で示したものである。
【図１】
0003208816.tif 000003
【図２】
0003208816.tif 000004
【図３】
0003208816.tif 000005
【手続補正書】
【提出日】平成28年12月14日(2016.12.14)
【手続補正１】
【補正対象書類名】明細書
【補正対象項目名】全文
【補正方法】変更
【補正の内容】
【考案の詳細な説明】
【考案の概要】
【考案が解決しようとする課題】
【０００１】従来のウェットティシューは２枚連なって出てきたり、円筒容器の中につまんだティシューが落ちてしまったりすることが多々あった。
【課題を解決するための手段】
【０００２】取り出し口に、ゴム製のリードを付けて、ロール紙を切るのを補助してやる。一方ゴムは摩擦係数が大きいので、はさんで切った紙は下に落ちにくい。
【図面の簡単な説明】
【０００３】
【図１】は、このケースを机上などに置いて上方より見おろしたものである。
【図２】は、このケースのフタを開いて、このシステムが見えるようにしたものである。
【図３】は実際に紙を取り出しているところをカットモデルであらわしたもので、肉眼ではこのサイクルは見えないために付した。
【符号の説明】
【０００４】図１の〔ａ〕はこのケースのフタ。
図２の〔ｂ〕はこの考案でいうところのリード。
図２の〔ｃ〕は、ゴムとプラスティックをとめる接着剤。〔ｄ〕はケース外に出た紙の端。
図３はどのように紙リード〔ｂ〕が紙〔ｄ〕を押さえて一連のサイクルをなすのかをあらわしたカットモデル図。
(57)【要約】      （修正有）【課題】収納書類の抜け落ちを防止する構造を持つクリアフォルダーを提供する。【解決手段】逆Ｌ字型開口部の表面シート１にその長い方の辺に時計回りに９０度回転させた横向きＵ字型切込み７、８を入れることにより出来る横向きＵ字型ベロ５と、逆Ｌ字型開口部の裏面シート２にそのベロを差込むに対応した切り抜き穴６を持ち、表面シートの横向きＵ字型ベロを裏面シートの切り抜き穴に差し込むことにより逆Ｌ字型開口部の長い方の辺を閉じ書類の抜け落ちを防止するものである。【選択図】図１
0003208818.tif 000002
【実用新案登録請求の範囲】
【請求項１】
軟質で4隅が直角の４角形フィルムシートを向かい合う辺の中点を結ぶ線で折り曲げ、折り曲げ部に隣接する２辺の内の１辺についてその一部又は全体を溶着した形のクリアフォルダーで、Ｌ字型閉口部分の内のフィルムシートを折り曲げてできた閉口部に向かい合う開口部の表面シートにＵ字を時計回りに９０度回転させた横向きＵ字型の切り込みを入れ、出来たＵ字型ベロの差込部を対面する裏面シートに表面シートに設けたＵ字型べロを差し込むことができる切り抜き穴部を設けたクリアフォルダー
【考案の詳細な説明】
【技術分野】
【０００１】
本考案は軟質のクリアフォルダーに関するものである。
【背景技術】
【０００２】
通常長方形のＬ字型閉口部とそれに向き合う逆Ｌ字型開口部から出来ている軟質のクリアフォルダーは、少量の書類をきれいに保存しておいたり区分して持ち運ぶのに便利なもので現在大量に消費されている
【先行技術文献】
【特許文献】
【０００３】
【特許文献１】実願２００８−５７４
【特許文献２】実願２００９−００５７３４
【考案の概要】
【考案が解決しようとする課題】
【０００４】
従来からのクリアフォルダーは開口部から簡単に書類が抜け落ちてしまうために持ち運びするときに書類を落としてしまうことがたびたびある
【０００５】
本考案の課題はこのような収納書類の抜け落ちを防止する構造を持つクリアフォルダーを提供することである
【課題を解決するための手段】
【０００６】
図1及び図２は考案した抜け落ち防止機能つきクリアフォルダーの１例を示す図です
【０００７】
図1の３は軟質で4隅が直角の４角形フィルムシートを向かい合う辺の中点を結ぶ線で折り曲げた部分であり、４は折り曲げ部に隣接する２辺の内の１辺について溶着した部分である
【０００８】
このクリアフォルダー図1の３・４の辺に向かい合うそれぞれの辺は開口しており１の表面シート部分と２の裏面シート部分の間に書類を収納するものである
【０００９】
１の表面シート部の３に向かい合う辺にＵ字を時計回りに９０度回転させた横向きＵ字型の切りこみを入れる
【００１０】
切込みにより出来た横向きＵ字型の図１ベロ５は図１表面シート1においてクリアフォルダ−の内向き外向きに湾曲する事が出来るものである
【００１１】
図１ベロ５の湾曲をスムーズに行うため横向きＵ字型Ｕ字の開口部に図１の7及び8の直線切り込みを入れる
【００１２】
図１裏面シート部２に図１Ｕ字型ベロ５を差し込むことが出来る位置に切り図1抜き穴６を設ける
【考案の効果】
【００１３】
表面シート１と裏面シート２の間に書類を挟みこみ収納した後、図2及び図3に示すようにＵ字型ベロ5を６の切り抜き穴に差し込むことで表面シート１と裏面シート２とその間に挟みこんだ書類が密着し、さらに書類の抜け落ちの方向が４と向かい合う開口部方向に限られてしまうので書類抜け落ち防止に効果がある
【図面の簡単な説明】
【００１４】
【図１】クリアフォルダーを開放した状態の斜視図
【図２】クリアフォルダーを閉じた状態で表側から見た正面図
【図３】図２の考案部分の拡大図
【考案を実施するための形態】
【００１５】
本考案の例としてＡ４サイズ用クリアファイルで記す物とする
【００１６】
図1のＵ字型ベロ５の位置はクリアーフォルダー縦方向の辺中央の位置とする
【００１７】
Ｕ字型ベロの大きさは縦横２0ｍｍで図１の７及び8の直線切り込みはそれぞれ5ｍｍとする
【００１８】
図1の６の切り抜き穴の形状は図１のＵ字型ベロ5が差し込みやすい長方形で縦の長さ22ｍｍ幅3ｍｍとする
【００１９】
考案を実施するための最良の形態で述べた形状は、クリアフォルダーに書類を挟み込んだ後、Ｕ字を時計回りに９０度回転させた横向きＵ字型ベロ5を切り抜き穴６に差し込むときに親指で１のシートのＵ字型ベロ５あたりを押さえ人差し指と中指で２のシートの切り抜き穴6付近を押さえ指で挟む形でクリアフォルダーを持ち１のシートのみを少し後ろにずらしてから５のＵ字型ベロを６の切り抜き穴な差し込むようにすると片手で簡単にクリアフォルダーの綴じ込みが出来るよう考えられたものである
【産業上の利用可能性】
【００２０】
従来のクリアフォルダ−とほとんど形状が変わらないシート状構造であり、製造コストも従来ものとほとんど差が無いと思われる。
【００２１】
書類が抜け落ちにくいと言う利便性があるために使用する人にとって大きな安心感がもてるので需要は多いと思われる
【符号の説明】
【００２２】
１  軟質で4隅が直角の４角形フィルムシートを向かい合う辺の中点を結ぶ線で２つ折にした時に出来る上側の表面シート
２  軟質で4隅が直角の４角形フィルムシートを向かい合う辺の中点を結ぶ線で２つ折にした時に出来る下側の裏面シート
３  軟質で4隅が直角の４角形フィルムシートを向かい合う辺の中点を結ぶ線で２つ折にした時の折れ線部分
４  ３の折れ線部分に隣接する２辺の内の１辺について溶着した部分
５  ベロ  差込部
６  差込部受け部の切り抜き穴
７  差込部の動きを助ける切込み
８  差込部の動きを助ける切込み
【図１】
0003208818.tif 000003
【図２】
0003208818.tif 000004
【図３】
0003208818.tif 000005
(57)【要約】      （修正有）【課題】段ボール製造時に、用途に応じた機能成分を保持した段ボール製品を提供する。【解決手段】段ボールを製造する際、波状の中芯原紙Ｃに表ライナーＢと裏ライナーＢを糊で貼合して貼合糊付着部分Ａを形成し、板状を保持させるものであるが、その貼合糊に使用環境が良化する機能成分を含有させて製造した。【選択図】図１
0003208812.tif 000002
【実用新案登録請求の範囲】
【請求項１】
段ボール製造に使用する貼合糊に、使用環境が良化する機能成分を含有させ製造した事を特徴とした段ボール製品。
【請求項２】
板紙の積層化に使用する貼合糊に、使用環境が良化する機能成分を含有させ製造した事を特徴とした板紙積層製品。
【考案の詳細な説明】
【技術分野】
【０００１】  本考案は、使用環境が良化する機能成分を段ボール板紙製品に含有させるものである。
【背景技術】
【０００２】  段ボールの構造は、一般的には波状の中芯原紙に表ライナーと裏ライナーを糊で貼合し、断面が三角形のトラス構造を成して板状を保持している。（図１）
段ボール板紙を重ね合わせた積層段ボールは、輸送用パレット、家具材、建材、猫の爪とぎ等に使われており、その用途は多岐にわたっている。（図２）
【考案の開示】
【考案が解決しようとする課題】
【０００３】  段ボール板紙製品は、リサイクル再生率が極めて高く、更に経済性や加工性に優れており、近年では包装材以外にも多様な用途で使用されている。
しかし、段ボール板紙製品は使用環境に最も適した機能成分を保持した紙素材を個別に使い分ける事は、製紙工程での１ロールが数千メートルに及ぶ非現実的な大ロット対応である事から、作業効率性や経済性の問題から事実上対応できず、やむを得ず同一素材の紙で製品化し、提供されている。
【課題を解決する為の手段】
【０００４】  この課題を解決する為、請求項１の考案は、段ボール製造時に貼合糊に使用環境を良化する機能成分を含有させて製品化する事で、用途に応じた機能成分を保持した段ボール製品となる。（図３）
【０００５】  また、請求項２の考案は、板紙を積層化する際に使用する糊に使用環境を良化する機能成分を含有させて製品化する事で、用途に応じた機能成分を保持した板紙積層製品となる。（図４）
【０００６】  用途に応じた機能成分の例として、建材、家具、インテリア等には防炎、抗菌、脱臭、マイナスイオン発生成分等、遊具には脱臭、抗菌成分等、生鮮食品の包材には抗菌、鮮度保持成分等、避難所の簡易ベッド、簡易トイレ、パーテーション等には抗菌、脱臭、マイナスイオン発生成分等である。
【考案の効果】
【０００７】  本考案の、用途に応じた機能成分を含有した貼合糊を使用して製品化する事により、
１．小ロットの個別対応が可能になる。
２．必要時の随時製造が可能になる。
３．気候、スペース等使用環境に適した機能成分量の調整が可能になる。
４．使用環境に適した機能成分の複合使用が可能になる。
等、様々な個別対応が可能になる事から、物品の保管性や流通性の向上、及び生活環境の改善に繋がり、安全で快適な社会生活の構築に資するものである。
【考案を実施する為の最良の形態】
【０００８】  本考案に係る請求項１の形態は、製段機で中芯をライナーに貼合する際の糊に機能成分を含有させて製段するものである。（図３）
【０００９】  本考案に係る請求項２の形態は、板紙を貼り合わせて積層する際の糊に機能成分を含有させて積層化するものである。（図４）
【図面の簡単な説明】
【００１０】
【図１】  一般的な両面段ボールの斜視図である。
【図２】  積層板紙の斜視図である。
【図３】  製段機に於ける貼合工程の図である。
【図４】  板紙を糊ロールで積層化する貼合作業工程の斜視図である。
【符号の説明】
【００１１】  Ａ    貼合糊付着部分
Ｂ    ライナー
Ｃ    中芯ライナー
Ｄ    糊槽
Ｅ    板紙
Ｆ    機能成分を含有した貼合糊
Ｇ    糊ロール
Ｈ    圧着用重し
Ｉ    段ロール
Ｊ    押えロール
Ｋ    積層板紙
【図１】
0003208812.tif 000003
【図２】
0003208812.tif 000004
【図３】
0003208812.tif 000005
【図４】
0003208812.tif 000006
【手続補正書】
【提出日】平成28年11月11日(2016.11.11)
【手続補正１】
【補正対象書類名】実用新案登録請求の範囲
【補正対象項目名】全文
【補正方法】変更
【補正の内容】
【実用新案登録請求の範囲】
【請求項１】
段ボールを製造する際、波状の中芯原紙に表ライナーと裏ライナーを糊で貼合し、板状を保持させるものであるが、その貼合糊に使用環境が良化する機能成分を含有させて製造した事を特徴とした段ボール製品。
【請求項２】
板紙の積層化に使用する貼合糊に、使用環境が良化する機能成分を含有させ製造した事を特徴とした板紙積層製品。
(57)【要約】      （修正有）【課題】剪定枝の処分に当たっては、さらに裁断して整理することが必要であるが、特に太い枝を裁断する際の労力を軽減することができる、刈り込み鋏に押切カッターの機能を付加させる付属品を提供する。【解決手段】板１に接続された筒２に刈り込み鋏の柄の一方を差し込み、その板を足で踏みつけて地面に固定させることにより、剪定枝等の押切りカッターとしても使用出来るようにして、従来主として腕の挟む力で裁断していたものを、柄のもう一方に腕で体重を掛けて押す力を利用して太い枝も容易に裁断が出来るようにすることにより、剪定枝の処分に係る労力を軽減することが出来る。【選択図】図２
0003208828.tif 000002
【実用新案登録請求の範囲】
【請求項１】
刈り込み鋏の柄の一方を、板に接続された筒に差し込み、その板を足で踏みつけて地面に固定させることにより、剪定枝等の押切りカッターとしての機能を付加させることを特徴とする付属品
【考案の詳細な説明】
【技術分野】
【０００１】  本考案は、刈り込み鋏の柄の一方を固定させ、押切カッターとしても使用できるようにする付属品に関するものである。
【背景技術】
【０００２】  剪定枝の処分に当たっては、さらに裁断して整理することが必要である。特に家庭から出る剪定枝の処分に当たっては、燃えるゴミとして出す際は細かく裁断して袋詰めし、剪定枝そのものとして出す際は各自治体で定められた一定の長さ以内に裁断して束ねて出している。
【考案の概要】
【考案が解決しようとする課題】
【０００３】  剪定枝の裁断には刈り込み鋏などを使用しているが、特に太い枝を裁断するときは多大な労力を要していた。
【課題を解決するための手段】
【０００４】  本考案は、刈り込み鋏の柄の一方を、板に接続された筒に差し込み、その板を足で踏みつけて地面に固定させることにより、剪定枝等の押切りカッターとしても使用出来るようにして、従来主として腕の挟む力で裁断していたものを、足も利用しながら、体重を腕に掛け、押す力を利用して太い枝も容易に裁断が出来るようにするものである。板に接続させる筒の角度は刈り込み鋏を全開させたときに地面に刃先が当たらない程度の角度とし、もう一方の刃先が極力上に向かないようにして、安全を確保する。
【考案の効果】
【０００５】  従来主として両腕で挟む力で裁断していたものを、足も利用しながら、体重を腕に掛け、押す力を利用して裁断することにより、太い枝も容易に裁断することが可能になり、剪定枝の処分に係る労力を軽減することが出来る。
【図面の簡単な説明】
【０００６】
【図１】本考案の刈り込み鋏に押切カッターの機能を付加させる付属品の一実施例を示す斜視図面である。
【図２】本考案の刈り込み鋏に押切カッターの機能を付加させる付属品に刈り込み鋏を装着した一実施例を示す断面図である。
【考案を実施するための形態】
【０００７】  足を乗せ地面に固定するための板に足先の方向に傾斜した筒を接合する。筒は刈り込み鋏の柄が入る内径を確保し、その傾斜角度は筒に刈り込み鋏の一方を装着し、刈り込み鋏を全開したときに刃先が地面に接しない程度の角度を確保し、もう一方の刃先が極力上に向かないようにして、安全を確保する。
【実施例】
【０００８】  以下添付図面に従って一実施例を説明する。足を乗せ地面に固定するための板１に筒２を接合させ、刈り込み鋏の一方を筒の中に差し込んで固定し、もう一方の柄を押して枝等を裁断する。
【符号の説明】
【０００９】１  足踏板
２  刈り込み鋏装着筒
【図１】
0003208828.tif 000003
【図２】
0003208828.tif 000004